(57)【特許請求の範囲】
【請求項１】
ユーザの宅内情報を取得する宅内装置と、
前記宅内装置とネットワークを介して接続され、前記宅内装置から送信される前記宅内情報を受信する管理装置と、
前記管理装置とネットワークを介して接続されるユーザ端末と、を備える遠隔監視システムにおいて、
前記宅内装置は、
電源投入時に、前記宅内装置の識別情報と前記宅内装置のバージョンモデル情報とを対応付けて前記管理装置に送信するバージョンモデル情報通知手段と、
宅内を撮像して画像情報を取得する撮像手段と、を備え、
前記撮像手段により取得された画像情報を宅内情報として前記管理装置に送信し、
前記管理装置は、
前記宅内装置の識別情報と前記宅内情報とを対応付けて記憶する宅内情報記憶手段と、
前記識別情報と前記宅内装置のバージョンモデル情報とを対応付けて記憶するバージョンモデル情報記憶手段と、
前記宅内装置から送信されたバージョンモデル情報と、前記バージョンモデル情報記憶手段に記憶され、前記宅内装置から送信された識別情報に対応付けられたバージョンモデル情報とが異なるか否かを判断する判断手段と、
前記判断手段により、前記宅内装置から送信されたバージョンモデル情報と、前記バージョンモデル情報記憶手段に記憶され、前記宅内装置から送信された識別情報に対応付けられたバージョンモデル情報とが異なると判断された場合に、前記バージョンモデル記憶手段に記憶されたバージョンモデル情報を更新する更新手段と、
前記ユーザ端末から送信される前記識別情報に基づいて、当該識別情報に対応付けられた宅内情報を前記宅内情報記憶手段から取得する宅内情報取得手段と、
前記ユーザ端末から送信される前記識別情報に基づいて、当該識別情報に対応付けられたバージョンモデル情報を前記バージョンモデル情報記憶手段から取得するバージョンモデル取得手段と、
前記バージョンモデル取得手段により取得されたバージョンモデル情報に対応し、前記宅内情報取得手段により取得された前記宅内情報を掲載するためのＷｅｂページ画面情報を前記ユーザ端末に送信する制御を行う制御手段と、
を備え、
前記ユーザ端末は、
前記宅内装置の識別情報を入力するための入力手段と、
前記入力手段により入力された識別情報を前記管理装置に送信する送信手段と、
前記管理装置から送信されたＷｅｂページ画面情報を表示する表示手段と、
を備えることを特徴とする遠隔監視システム。
【請求項２】
ユーザの宅内情報を取得する宅内装置と、
前記宅内装置とネットワークを介して接続され、前記宅内装置から送信される前記宅内情報を受信する管理装置と、
前記管理装置とネットワークを介して接続されるユーザ端末と、を備える遠隔監視システムにおいて、
前記管理装置は、
前記宅内装置の識別情報と前記宅内情報とを対応付けて記憶する宅内情報記憶手段と、
前記識別情報と前記宅内装置のバージョンモデル情報とを対応付けて記憶するバージョンモデル情報記憶手段と、
前記ユーザ端末から送信される前記識別情報に基づいて、当該識別情報に対応付けられた宅内情報を前記宅内情報記憶手段から取得する宅内情報取得手段と、
前記ユーザ端末から送信される前記識別情報に基づいて、当該識別情報に対応付けられ
たバージョンモデル情報を前記バージョンモデル情報記憶手段から取得するバージョンモデル取得手段と、
前記バージョンモデル取得手段により取得されたバージョンモデル情報に対応し、前記宅内情報取得手段により取得された前記宅内情報を掲載するためのＷｅｂページ画面情報を前記ユーザ端末に送信する制御を行う制御手段と、
を備え、
前記ユーザ端末は、
前記宅内装置の識別情報を入力するための入力手段と、
前記入力手段により入力された識別情報を前記管理装置に送信する送信手段と、
前記管理装置から送信されたＷｅｂページ画面情報を表示する表示手段と、
を備えることを特徴とする遠隔監視システム。
【請求項３】
前記宅内装置は、
所定のタイミングで、前記宅内装置の識別情報と前記宅内装置のバージョンモデル情報とを対応付けて前記管理装置に送信するバージョンモデル情報通知手段を備え、
前記管理装置は、
前記宅内装置から送信されたバージョンモデル情報と、前記バージョンモデル情報記憶手段に記憶され、前記宅内装置から送信された識別情報に対応付けられたバージョンモデル情報と、が異なるか否かを判断する判断手段と、
前記判断手段により、前記宅内装置から送信されたバージョンモデル情報と、前記バージョンモデル情報記憶手段に記憶され、前記宅内装置から送信された識別情報に対応付けられたバージョンモデル情報とが異なると判断された場合に、前記バージョンモデル記憶手段に記憶されたバージョンモデル情報を更新する更新手段と、
を備えることを特徴とする請求項２に記載の遠隔監視システム。
【請求項４】
前記宅内装置は、
宅内を撮像して画像情報を取得する撮像手段を備え、
前記撮像手段により取得された画像情報を宅内情報として前記管理装置に送信することを特徴とする請求項２又は３に記載の遠隔監視システム。
【請求項５】
ユーザの宅内情報を取得する宅内装置と、ユーザ端末とにネットワークを介して接続され、前記宅内装置から送信される前記宅内情報を受信する管理装置において、
前記宅内装置の識別情報と前記宅内情報とを対応付けて記憶する宅内情報記憶手段と、
前記識別情報と前記宅内装置のバージョンモデル情報とを対応付けて記憶するバージョンモデル情報記憶手段と、
前記ユーザ端末から送信される前記識別情報に基づいて、当該識別情報に対応付けられた宅内情報を前記宅内情報記憶手段から取得する宅内情報取得手段と、
前記ユーザ端末から送信される前記識別情報に基づいて、当該識別情報に対応付けられたバージョンモデル情報を前記バージョンモデル情報記憶手段から取得するバージョンモデル取得手段と、
前記バージョンモデル取得手段により取得されたバージョンモデル情報に対応し、前記宅内情報取得手段により取得された前記宅内情報を掲載するためのＷｅｂページ画面情報を前記ユーザ端末に送信する制御を行う制御手段と、
を備えることを特徴とする管理装置。
【発明の詳細な説明】
【技術分野】
【０００１】
本発明は、遠隔監視システム及び管理装置に関する。
【背景技術】
【０００２】
従来、遠隔監視システムとして、様々なものが開発されている（例えば、特許文献１−４）。例えば、宅内に設けられた家電製品や宅内の様子を監視するカメラ等の宅内装置と、当該宅内装置とインターネットを介して接続された管理装置と、当該管理装置とインターネットを介して接続された携帯などのユーザ端末からなる遠隔監視システムにおいて、宅内装置が取得した宅内情報を管理装置に送信し、管理装置が開設しているホームページにユーザがユーザ端末からアクセスすることにより、当該ホームページ上にて当該宅内情報を閲覧できるようにしたもの（特許文献１）や、宅内装置が取得した宅内情報を管理装置に送信させ、管理装置が当該宅内情報をユーザの携帯にメール送信するものが知られている（特許文献２）。
【０００３】
また、宅内に設置される複数の火災感知器と、当該火災感知器とネットワークを介して接続される火災受信機とからなる火災報知システムにおいて、個々の火災感知器の識別情報を電源投入時に火災受信機に送信することにより、新たに設置された火災感知器と以前に設置された火災感知器の識別を確実に行うようにしたものも知られている（特許文献３）。
【０００４】
また、ビルに設置され、ビルのエレベータ等の状態を監視する監視端末装置と、当該監視端末装置とネットワークを介して接続された管理装置を備えるシステムにおいて、監視端末装置から当該監視端末装置の固有情報を管理装置に送信させるとともに、管理装置から当該監視端末装置の固有情報を送信することにより、該固有情報の設定を行えるものも知られている（例えば、特許文献４）。
【０００５】
また、ホームページに関する技術としても様々なものが知られており、例えば、ホームページのＵＲＬが変更された場合に、当該ホームページの変更後のＵＲＬをサーバが自動的にユーザ端末に提供するシステム（例えば、特許文献５）や、ネットワーク上に、各ユーザが当該ユーザ端末を介して当該ネットワーク上にホームページを作成するのを支援するサービスサーバを設けたシステム等が知られている（例えば、特許文献６）。
【特許文献１】特開２００１−３１３９８７号公報
【特許文献２】特開２００３−３３３６７２号公報
【特許文献３】特開２００３−２２３６８６号公報
【特許文献４】特開２００３−１５２８８３号公報
【特許文献５】特開２００１−１３４５３０号公報
【特許文献６】特開２００１−２４３１８１号公報
【発明の開示】
【発明が解決しようとする課題】
【０００６】
ところで、例えば、各宅内に設けられるカメラ等の宅内装置と当該宅内装置とネットワークを介して接続される管理装置，当該管理装置とネットワークを介して接続されるユーザ端末等を備える遠隔監視システムにおいては、宅内装置によって取得された画像等の情報が管理装置に送信され、ユーザは、ユーザ端末を介して管理装置のホームページにアクセスすることにより、当該ホームページ上にて宅内装置によって取得された画像情報を確認できるようになっている。そして、当該遠隔監視システムにおいて、宅内装置のバージョンモデルにより、当該宅内装置から得られる画像情報は、例えば、静止画のみ，静止画及び動画，静止画及び音声というように異なるため、宅内装置のバージョンモデル毎に当該画像情報を掲載するホームページを設けるようになっている。
【０００７】
しかしながら、バージョンモデル毎にホームページを設けることとすると、各ユーザは、見たい宅内情報が取得された宅内装置のバージョンモデルに対応したホームページにアクセスしなければならず、バージョンモデルに対応したホームページのＵＲＬを認識する必要があり面倒であった。また、宅内装置のバージョンモデルが更新され、且つ、ユーザが宅内装置のバージョンモデルが更新されたことを気づかない場合には、更新前に接続していたホームページにアクセスしてしまい、画像情報等を得ることができないという問題もあった。
【０００８】
本発明の課題は、宅内装置のバージョンモデルに関わらずユーザが容易に画像情報等を確認できる遠隔監視システムおよび管理装置を提供することである。
【課題を解決するための手段】
【０００９】
請求項１に記載の発明は、ユーザの宅内情報を取得する宅内装置と、
前記宅内装置とネットワークを介して接続され、前記宅内装置から送信される前記宅内情報を受信する管理装置と、
前記管理装置とネットワークを介して接続されるユーザ端末と、を備える遠隔監視システムにおいて、
前記宅内装置は、
電源投入時に、前記宅内装置の識別情報と前記宅内装置のバージョンモデル情報とを対応付けて前記管理装置に送信するバージョンモデル情報通知手段と、
宅内を撮像して画像情報を取得する撮像手段と、を備え、
前記撮像手段により取得された画像情報を宅内情報として前記管理装置に送信し、
前記管理装置は、
前記宅内装置の識別情報と前記宅内情報とを対応付けて記憶する宅内情報記憶手段と、
前記識別情報と前記宅内装置のバージョンモデル情報とを対応付けて記憶するバージョンモデル情報記憶手段と、
前記宅内装置から送信されたバージョンモデル情報と、前記バージョンモデル情報記憶手段に記憶され、前記宅内装置から送信された識別情報に対応付けられたバージョンモデル情報とが異なるか否かを判断する判断手段と、
前記判断手段により、前記宅内装置から送信されたバージョンモデル情報と、前記バージョンモデル情報記憶手段に記憶され、前記宅内装置から送信された識別情報に対応付けられたバージョンモデル情報とが異なると判断された場合に、前記バージョンモデル記憶手段に記憶されたバージョンモデル情報を更新する更新手段と、
前記ユーザ端末から送信される前記識別情報に基づいて、当該識別情報に対応付けられた宅内情報を前記宅内情報記憶手段から取得する宅内情報取得手段と、
前記ユーザ端末から送信される前記識別情報に基づいて、当該識別情報に対応付けられたバージョンモデル情報を前記バージョンモデル情報記憶手段から取得するバージョンモデル取得手段と、
前記バージョンモデル取得手段により取得されたバージョンモデル情報に対応し、前記宅内情報取得手段により取得された前記宅内情報を掲載するためのＷｅｂページ画面情報を前記ユーザ端末に送信する制御を行う制御手段と、
を備え、
前記ユーザ端末は、
前記宅内装置の識別情報を入力するための入力手段と、
前記入力手段により入力された識別情報を前記管理装置に送信する送信手段と、
前記管理装置から送信されたＷｅｂページ画面情報を表示する表示手段と、
を備えることを特徴としている。
【００１０】
請求項２に記載の発明は、ユーザの宅内情報を取得する宅内装置と、
前記宅内装置とネットワークを介して接続され、前記宅内装置から送信される前記宅内
情報を受信する管理装置と、
前記管理装置とネットワークを介して接続されるユーザ端末と、を備える遠隔監視システムにおいて、
前記管理装置は、
前記宅内装置の識別情報と前記宅内情報とを対応付けて記憶する宅内情報記憶手段と、
前記識別情報と前記宅内装置のバージョンモデル情報とを対応付けて記憶するバージョンモデル情報記憶手段と、
前記ユーザ端末から送信される前記識別情報に基づいて、当該識別情報に対応付けられた宅内情報を前記宅内情報記憶手段から取得する宅内情報取得手段と、
前記ユーザ端末から送信される前記識別情報に基づいて、当該識別情報に対応付けられたバージョンモデル情報を前記バージョンモデル情報記憶手段から取得するバージョンモデル取得手段と、
前記バージョンモデル取得手段により取得されたバージョンモデル情報に対応し、前記宅内情報取得手段により取得された前記宅内情報を掲載するためのＷｅｂページ画面情報を前記ユーザ端末に送信する制御を行う制御手段と、
を備え、
前記ユーザ端末は、
前記宅内装置の識別情報を入力するための入力手段と、
前記入力手段により入力された識別情報を前記管理装置に送信する送信手段と、
前記管理装置から送信されたＷｅｂページ画面情報を表示する表示手段と、
を備えることを特徴としている。
【００１１】
請求項３に記載の発明は、請求項２に記載の遠隔監視システムにおいて、
前記宅内装置は、
所定のタイミングで、前記宅内装置の識別情報と前記宅内装置のバージョンモデル情報とを対応付けて前記管理装置に送信するバージョンモデル情報通知手段を備え、
前記管理装置は、
前記宅内装置から送信されたバージョンモデル情報と、前記バージョンモデル情報記憶手段に記憶され、前記宅内装置から送信された識別情報に対応付けられたバージョンモデル情報とが異なるか否かを判断する判断手段と、
前記判断手段により、前記宅内装置から送信されたバージョンモデル情報と、前記バージョンモデル情報記憶手段に記憶され、前記宅内装置から送信された識別情報に対応付けられたバージョンモデル情報とが異なると判断された場合に、前記バージョンモデル記憶手段に記憶されたバージョンモデル情報を更新する更新手段と、を備えることを特徴としている。
【００１２】
請求項４に記載の発明は、請求項２又は３に記載の遠隔監視システムにおいて、
前記宅内装置は、
宅内を撮像して画像情報を取得する撮像手段を備え、
前記撮像手段により取得された画像情報を宅内情報として前記管理装置に送信することを特徴としている。
【００１３】
請求項５に記載の発明は、ユーザの宅内情報を取得する宅内装置と、ユーザ端末とにネットワークを介して接続され、前記宅内装置から送信される前記宅内情報を受信する管理装置において、
前記宅内装置の識別情報と前記宅内情報とを対応付けて記憶する宅内情報記憶手段と、
前記識別情報と前記宅内装置のバージョンモデル情報とを対応付けて記憶するバージョンモデル情報記憶手段と、
前記ユーザ端末から送信される前記識別情報に基づいて、当該識別情報に対応付けられた宅内情報を前記宅内情報記憶手段から取得する宅内情報取得手段と、
前記ユーザ端末から送信される前記識別情報に基づいて、当該識別情報に対応付けられたバージョンモデル情報を前記バージョンモデル情報記憶手段から取得するバージョンモデル取得手段と、
前記バージョンモデル取得手段により取得されたバージョンモデル情報に対応し、前記宅内情報取得手段により取得された前記宅内情報を掲載するためのＷｅｂページ画面情報を前記ユーザ端末に送信する制御を行う制御手段と、
を備えることを特徴としている。
【発明の効果】
【００１４】
請求項１に記載の発明によれば、管理装置において、宅内情報記憶手段により、宅内装置の識別情報と宅内情報とが対応付けられて記憶され、バージョンモデル情報記憶手段により、識別情報と宅内装置のバージョンモデル情報とが対応付けられて記憶され、宅内情報取得手段により、ユーザ端末から送信される識別情報に基づいて、当該識別情報に対応付けられた宅内情報が宅内情報記憶手段から取得され、バージョンモデル取得手段により、ユーザ端末から送信される識別情報に基づいて、当該識別情報に対応付けられたバージョンモデル情報がバージョンモデル情報記憶手段から取得され、制御手段により、バージョンモデル取得手段によって取得されたバージョンモデル情報に対応し、宅内情報取得手段によって取得された宅内情報を掲載するためのＷｅｂページ画面情報をユーザ端末に送信する制御が行われ、ユーザ端末において、入力手段により、宅内装置の識別情報が入力され、送信手段により、入力手段によって入力された識別情報が管理装置に送信され、表示手段により、管理装置から送信されたＷｅｂページ画面情報が表示されるので、ユーザは、バージョンモデルに対応したＷｅｂページのＵＲＬを認識する必要がなく、また、例えば、宅内装置のバージョンモデルが更新され、且つ、ユーザが宅内装置のバージョンモデルが更新されたことに気づかない場合であっても、宅内装置のバージョンモデル情報に応じたＷｅｂページ画面情報が自動的にユーザ端末に送信されることとなって、宅内装置のバージョンモデルに関わらず、ユーザは容易に宅内情報を確認することができる。
【００１５】
また、宅内装置において、バージョンモデル情報通知手段により、電源投入時に、宅内装置の識別情報と宅内装置のバージョンモデル情報とが対応付けられて管理装置に送信され、管理装置において、判断手段により、宅内装置から送信されたバージョンモデル情報と、バージョンモデル情報記憶手段に記憶され、宅内装置から送信された識別情報に対応付けられたバージョンモデル情報とが異なるか否かが判断され、判断手段により、宅内装置から送信されたバージョンモデル情報と、バージョンモデル情報記憶手段に記憶され、宅内装置から送信された識別情報に対応付けられたバージョンモデル情報とが異なると判断された場合に、更新手段により、バージョンモデル記憶手段に記憶されたバージョンモデル情報が更新されるので、宅内装置のバージョンモデルが更新され、ユーザがＷｅｂページにおいて宅内情報を確認する場合、更新された後のバージョンモデル情報に対応するＷｅｂページ画面情報がユーザ端末に送信されることとなって、宅内装置のバージョンモデルの更新の有無に関わらず、ユーザは容易に宅内情報を確認することができる。
【００１６】
また、管理装置のバージョンモデル情報記憶手段が自動的に更新されるので、当該バージョンモデル情報記憶手段の管理を容易にすることができる。
【００１７】
また、撮像手段により、宅内が撮像されて画像情報が取得され、取得された画像情報が宅内情報として管理装置に送信されるので、ユーザは、画像情報を見ることにより宅内の様子を容易に確認することができるとともに、特に、画像情報は、動画、静止画等のように比較的バージョンモデルが多様なので、より好適な効果が得られる。
【００１８】
請求項２に記載の発明によれば、管理装置において、宅内情報記憶手段により、宅内装置の識別情報と宅内情報とが対応付けられて記憶され、バージョンモデル情報記憶手段により、識別情報と宅内装置のバージョンモデル情報とが対応付けられて記憶され、宅内情
報取得手段により、ユーザ端末から送信される識別情報に基づいて、当該識別情報に対応付けられた宅内情報が宅内情報記憶手段から取得され、バージョンモデル取得手段により、ユーザ端末から送信される識別情報に基づいて、当該識別情報に対応付けられたバージョンモデル情報がバージョンモデル情報記憶手段から取得され、制御手段により、バージョンモデル取得手段によって取得されたバージョンモデル情報に対応し、宅内情報取得手段によって取得された宅内情報を掲載するためのＷｅｂページ画面情報をユーザ端末に送信する制御が行われ、ユーザ端末において、入力手段により、宅内装置の識別情報が入力され、送信手段により、入力手段によって入力された識別情報が管理装置に送信され、表示手段により、管理装置から送信されたＷｅｂページ画面情報が表示されるので、ユーザは、バージョンモデルに対応したＷｅｂページのＵＲＬを認識する必要がなく、また、例えば、宅内装置のバージョンモデルが更新され、且つ、ユーザが宅内装置のバージョンモデルが更新されたことに気づかない場合であっても、宅内装置のバージョンモデル情報に応じたＷｅｂページ画面情報が自動的にユーザ端末に送信されることとなって、宅内装置のバージョンモデルに関わらず、ユーザは容易に宅内情報を確認することができる。
【００１９】
請求項３に記載の発明によれば、請求項２に記載の発明と同様の効果が得られるのは勿論のこと、特に、宅内装置において、バージョンモデル情報通知手段により、所定のタイミングで、宅内装置の識別情報と宅内装置のバージョンモデル情報とが対応付けられて管理装置に送信され、管理装置において、判断手段により、宅内装置から送信されたバージョンモデル情報と、バージョンモデル情報記憶手段に記憶され、宅内装置から送信された識別情報に対応付けられたバージョンモデル情報とが異なるか否かが判断され、判断手段により、宅内装置から送信されたバージョンモデル情報と、バージョンモデル情報記憶手段に記憶され、宅内装置から送信された識別情報に対応付けられたバージョンモデル情報とが異なると判断された場合に、更新手段により、バージョンモデル記憶手段に記憶されたバージョンモデル情報が更新されるので、宅内装置のバージョンモデルが更新され、ユーザがＷｅｂページにおいて宅内情報を確認する場合、更新された後のバージョンモデル情報に対応するＷｅｂページ画面情報がユーザ端末に送信されることとなって、宅内装置のバージョンモデルの更新の有無に関わらず、ユーザは容易に宅内情報を確認することができる。
【００２０】
また、管理装置のバージョンモデル情報記憶手段が自動的に更新されるので、当該バージョンモデル情報記憶手段の管理を容易にすることができる。
【００２１】
請求項４に記載の発明によれば、請求項２又は３に記載の発明と同様の効果が得られるのは勿論のこと、特に、撮像手段により、宅内が撮像されて画像情報が取得され、取得された画像情報が宅内情報として管理装置に送信されるので、ユーザは、画像情報を見ることにより宅内の様子を容易に確認することができるとともに、特に、画像情報は、動画、静止画等のように比較的バージョンモデルが多様なので、より好適な効果が得られる。
【００２２】
請求項５に記載の発明によれば、宅内情報記憶手段により、宅内装置の識別情報と宅内情報とが対応付けられて記憶され、バージョンモデル情報記憶手段により、識別情報と宅内装置のバージョンモデル情報とが対応付けられて記憶され、宅内情報取得手段により、ユーザ端末から送信される識別情報に基づいて、当該識別情報に対応付けられた宅内情報が宅内情報記憶手段から取得され、バージョンモデル取得手段により、ユーザ端末から送信される識別情報に基づいて、当該識別情報に対応付けられたバージョンモデル情報がバージョンモデル情報記憶手段から取得され、制御手段により、バージョンモデル取得手段によって取得されたバージョンモデル情報に対応し、宅内情報取得手段によって取得された宅内情報を掲載するためのＷｅｂページ画面情報をユーザ端末に送信する制御が行われるので、ユーザは、バージョンモデルに対応したＷｅｂページのＵＲＬを認識する必要がなく、また、例えば、宅内装置のバージョンモデルが更新され、且つ、ユーザが宅内装置のバージョンモデルが更新されたことに気づかない場合であっても、宅内装置のバージョ
ンモデル情報に応じたＷｅｂページ画面情報が自動的にユーザ端末に送信されることとなって、宅内装置のバージョンモデルに関わらず、ユーザは容易に宅内情報を確認することができる。
【発明を実施するための最良の形態】
【００２３】
以下、図を参照して、本発明に係る遠隔監視システムを実施するための最良の形態を詳細に説明する。なお、本発明の範囲は図示例に限定されない。
（遠隔監視システム全体の構成）
まず、本実施の形態の構成を説明する。
【００２４】
本発明に係る遠隔監視システム１００は、例えば、図１に示すように、複数のユーザ宅Ｕ内に設けられた宅内装置としてのカメラ端末１・・・，複数のユーザ端末２・・・，管理装置としてのサーバ３等を備えて構成され、サーバ３は、カメラ端末１及びユーザ端末２と、ネットワークNを介して接続されている。
【００２５】
ネットワークNは、例えば、電話回線網、ＩＳＤＮ回線網、専用線、移動体通信網、通
信衛星回線、ＣＡＴＶ回線網等の各種通信回線と、それらを接続するインターネットサービスプロバイダ等を含む。
（カメラ端末の構成）
カメラ端末１は、例えば、図２に示すように、通信部１０，撮像手段としてのカメラ１１，ＣＰＵ（Central  Processing  Unit）１２，ＲＡＭ（Random  Access  Memory）１
３，記憶部１４等を備えて構成され、各部はバス１５により接続される。
【００２６】
通信部１０は、例えば、モデム（MODEM:Modulater/DEModulater）等を備えて構成され
、ネットワークＮを介して、サーバ３等との通信を行う。
【００２７】
カメラ１１は、例えば、ＣＣＤ（Charge  Coupled  Devise）等を備えて構成され、ユ
ーザ宅Ｕ内を撮像して、宅内情報としての画像情報Ａ４を取得する。カメラ１１には、複数のバージョンモデルがあり、例えば、静止画の画像情報Ａ４のみを取得するバージョンモデル、静止画及び動画の画像情報Ａ４を取得するバージョンモデル、音声記録手段（図示省略）を内蔵して、画像情報Ａ４の他に宅内の音声情報Ａ５を取得するバージョンモデル等がある。そして、カメラ端末１には、カメラ１１のバージョンモデルに応じたバージョンモデルがある。
【００２８】
ＣＰＵ１２は、記憶部１４に格納された処理プログラム等を読み出して、ＲＡＭ１３に展開して実行することにより、カメラ端末１全体の制御を行う。
【００２９】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００３０】
記憶部１４は、例えば、プログラムやデータ等が予め記憶されている記録媒体（図示せず）を有しており、この記録媒体は、例えば、半導体メモリ等で構成されている。また、記憶部１４は、ＣＰＵ１２がカメラ端末１全体を制御する機能を実現させるための各種データ，各種処理プログラム，これらプログラムの実行により処理されたデータ等を記憶する。より具体的には、記憶部１４は、例えば、図２に示すように、カメラデータベース１４Ａ，カメラ制御プログラム１４Ｂ，タイマープログラム１４Ｃ，モデル情報通知プログラム１４Ｃ等を格納している。
【００３１】
カメラデータベース１４Ａは、例えば、当該カメラ端末１の認証情報としてのＩＤ番号Ａ１及びパスワードＡ２，カメラ端末１のバージョンモデル情報Ａ３，画像情報Ａ４，音声情報Ａ５等を対応付けて記憶している。カメラ端末１のＩＤ番号Ａ１，パスワードＡ２は、例えば、工場出荷時において、当該カメラデータベース１４Ａに設定されるものであり、変更することができないようになっている。
【００３２】
カメラ制御プログラム１４Ｂは、例えば、ＣＰＵ１２に、カメラ１１を制御して、ユーザ宅Ｕ内を撮像させ、また、宅内の音声を音声記録手段に録音させることにより、画像情報Ａ４，音声情報Ａ５等を取得させる機能を実現させるプログラムである。
【００３３】
モデル情報通知プログラム１４Ｃは、例えば、ＣＰＵ１２に、カメラ端末１の電源投入時に、カメラデータベース１４Ａを参照して、ＩＤ番号Ａ１，パスワードＡ２，バージョンモデル情報Ａ３，画像情報Ａ４を抽出し、通信部１０を制御して、当該ＩＤ番号Ａ１，パスワードＡ２，バージョンモデル情報Ａ３，画像情報Ａ４をサーバ３に送信する機能を実現させるプログラムである。ＣＰＵ１２は、かかるモデル情報通知プログラム１４Ｃを実行することにより、バージョンモデル情報通知手段として機能する。
（ユーザ端末の構成）
ユーザ端末２は、例えば、図３に示すように、送信手段としての通信部２０，表示手段としての表示部２１，入力手段としての操作部２２，ＣＰＵ２３，ＲＡＭ２４，記憶部２５等を備えて構成され、各部はバス２６により接続される。
【００３４】
通信部２０は、例えば、モデム等を備えて構成され、ネットワークＮを介して、サーバ３等との通信を行う。
【００３５】
表示部２１は、例えば、ＣＲＴ（Cathode  Ray  Tube）や液晶表示パネル等であり、ＣＰＵ２３から出力される画像信号に基づいて画像を表示する。より具体的には、表示部２１は、ＣＰＵ２３から出力されるＷｅｂページ画面情報に基づくＷｅｂページ画面を表示する。
【００３６】
操作部２２は、例えば、図示しないテンキーや各種ファンクションキー等を有し、そのキー操作による操作信号をＣＰＵ３１に出力する。また、ユーザが操作部２２の各種キーを押下することにより、ログインＩＤ番号Ａ６，ログインパスワードＡ７を入力できるようになっている。ここで、ログインＩＤ番号Ａ６，ログインパスワードＡ７は、例えば、予めカメラ端末１に設定されたＩＤ番号Ａ１，パスワードＡ２と同じ番号に設定されており、ａｌｉａｓ等によって、カメラ端末１に設定されたＩＤ番号Ａ１，パスワードＡ２とは異なる番号に設定することができるようになっている。
【００３７】
ＣＰＵ２３は、記憶部２５に格納された処理プログラム等を読み出して、ＲＡＭ２４に展開して実行することにより、ユーザ端末２全体の制御を行う。
【００３８】
ＲＡＭ２４は、ＣＰＵ２３により実行された処理プログラム等を、ＲＡＭ２４内のプログラム格納領域に展開するとともに、入力データや上記処理プログラムが実行される際に生じる処理結果等をデータ格納領域に格納する。
【００３９】
記憶部２５は、例えば、プログラムやデータ等が予め記憶されている記録媒体（図示せず）を有しており、この記録媒体は、例えば、半導体メモリ等で構成されている。また、記憶部２５は、ＣＰＵ２３がユーザ端末２全体を制御する機能を実現させるための各種データ，各種処理プログラム，これらプログラムの実行により処理されたデータ等を記憶する。より具体的には、記憶部２５は、例えば、図３に示すように、通信制御プログラム２
５Ａ，表示制御プログラム２５Ｂ等を格納している。
【００４０】
通信制御プログラム２５Ａは、例えば、ＣＰＵ２３に、通信部２０を制御して、操作部２２から入力されたログインＩＤ番号Ａ６，ログインパスワードＡ７，Ｗｅｂページ画面情報要求信号等の各種信号を送信させるとともに、Ｗｅｂページ画面情報等を受信させる機能を実現させるプログラムである。
【００４１】
表示制御プログラム２５Ｂは、例えば、ブラウザソフト等であり、ＣＰＵ２３に、表示部２１を制御して、ＣＰＵ２３から出力されるＷｅｂページ画面情報に基づくＷｅｂページ画面を表示させる機能を実現させるプログラムである。
（サーバの構成）
サーバ３は、例えば、図４に示すように、通信部３０，ＣＰＵ３１，ＲＡＭ３２，記憶部３３等を備えて構成され、各部はバス３４により接続される。
【００４２】
通信部３０は、例えば、モデム等を備えて構成され、ネットワークＮを介して、カメラ端末１，ユーザ端末２等との通信を行う。
【００４３】
ＣＰＵ３１は、記憶部３３に格納された処理プログラム等を読み出して、ＲＡＭ３２に展開して実行することにより、サーバ３全体の制御を行う。
【００４４】
ＲＡＭ３２は、ＣＰＵ３１により実行された処理プログラム等を、ＲＡＭ３２内のプログラム格納領域に展開するとともに、入力データや上記処理プログラムが実行される際に生じる処理結果等をデータ格納領域に格納する。
【００４５】
記憶部３３は、例えば、プログラムやデータ等が予め記憶されている記録媒体（図示せず）を有しており、この記録媒体は、例えば、半導体メモリ等で構成されている。また、記憶部３３は、ＣＰＵ３１がサーバ３全体を制御する機能を実現させるための各種データ，各種処理プログラム，これらプログラムの実行により処理されたデータ等を記憶する。より具体的には、記憶部３３は、例えば、図４に示すように、モデルデータベース３３Ａ，画像・音声データベース３３Ｂ，ページデータベース３３Ｃ，ユーザ認証データベース３３Ｄ，判断プログラム３３Ｅ，更新プログラム３３Ｆ，ユーザ認証プログラム３３Ｇ，モデル情報取得プログラム３３Ｈ，画像・音声取得プログラム３３Ｉ，画面情報送信プログラム３３Ｊ等を格納している。
【００４６】
モデルデータベース３３Ａは、例えば、図５に示すように、カメラ端末１のＩＤ番号Ａ１，パスワードＡ２，バージョンモデル情報Ａ３を対応付けて記憶している。カメラ端末１のＩＤ番号Ａ１，パスワードＡ２は、予め、当該モデルデータベース３３Ａに登録されるようになっており、カメラ端末１が工場において生産される際に、登録されているＩＤ番号Ａ１，パスワードＡ２が当該カメラ端末１に割り当てられる。なお、ＩＤ番号Ａ１，パスワードＡ２がモデルデータベース３３Ａに登録される際のバージョンモデル情報Ａ３は、デフォルト、即ち、最低限の機能を持ったバージョンが登録されるようになっており、例えば、静止画のみ撮像できるバージョンモデルが登録されている。記憶部３３は、モデルデータベース３３Ａを格納することにより、バージョンモデル情報記憶手段として機能する。
【００４７】
画像・音声データベース３３Ｂは、例えば、図６に示すように、カメラ端末１のＩＤ番号Ａ１及びパスワードＡ２と当該カメラ端末１により取得された画像情報Ａ４及び音声情報Ａ５とを対応付けて記憶している。記憶部３３は、画像・音声データベース３３Ｂを格納することにより、宅内情報記憶手段として機能する。
【００４８】
ページデータベース３３Ｃは、例えば、カメラ端末１のバージョンモデル毎に異なるＷｅｂページ画面情報を当該バージョンモデル情報Ａ３と対応付けて記憶している。
【００４９】
ユーザ認証データベース３３Ｄは、例えば、図７に示すように、ユーザがサーバ３のＷｅｂページにログインするためのログインＩＤ番号Ａ６，ログインパスワードＡ７と当該ユーザのユーザ宅Ｕ内に設置されたカメラ端末１のＩＤ番号Ａ１，パスワードＡ２とを対応付けて記憶している。
【００５０】
判断プログラム３３Ｅは、例えば、ＣＰＵ３１に、カメラ端末１から送信された当該カメラ端末１のバージョンモデル情報Ａ３がモデルデータベース３３Ａに記憶されている当該カメラ端末１のバージョンモデル情報Ａ３と異なるか否かを判断する機能を実現させるプログラムである。より具体的には、判断プログラム３３Ｅは、ＣＰＵ３１に、カメラ端末１から送信されたＩＤ番号Ａ１，パスワードＡ２に基づいて、モデルデータベース３３Ａを検索して当該ＩＤ番号Ａ１，パスワードＡ２に対応するバージョンモデル情報Ａ３を抽出し、カメラ端末１から送信されたバージョンモデル情報Ａ３と抽出したバージョンモデル情報Ａ３とを比較して異なっているか否かを判断する機能を実現させるプログラムである。ＣＰＵ３１は、かかる判断プログラム３３Ｅを実行することにより、判断手段として機能する。
【００５１】
更新プログラム３３Ｆは、例えば、ＣＰＵ３１に、判断プログラム３３Ｅを実行することにより、カメラ端末１から送信されたバージョンモデル情報Ａ３とモデルデータベース３３Ａから抽出したバージョンモデル情報Ａ３とが異なると判断した場合に、モデルデータベース３３Ａに記憶されたバージョンモデル情報Ａ３をカメラ端末１から送信されたバージョンモデル情報Ａ３に書き換えることにより更新する機能を実現させるプログラムである。ＣＰＵ３１は、かかる更新プログラム３３Ｆを実行することにより更新手段として機能する。
【００５２】
ユーザ認証プログラム３３Ｇは、例えば、ＣＰＵ３１に、ユーザ認証データベース３３Ｄを参照して、ユーザ端末２から送信されたログインＩＤ番号Ａ６，ログインパスワードＡ７に一致するログインＩＤ番号Ａ６，ログインパスワードＡ７があるかないかを判断し、ユーザ端末２から送信されたログインＩＤ番号Ａ６，ログインパスワードＡ７に一致するログインＩＤ番号Ａ６，ログインパスワードＡ７があった場合には、当該ログインＩＤ番号Ａ６，ログインパスワードＡ７に対応するカメラ端末１のＩＤ番号Ａ１，パスワードＡ２を抽出する機能を実現させるプログラムである。
【００５３】
モデル情報取得プログラム３３Ｈは、例えば、ＣＰＵ３１に、ユーザ認証プログラム３３Ｇを実行することにより抽出されたＩＤ番号Ａ１，パスワードＡ２に基づいて、モデルデータベース３３Ａを参照して、当該ＩＤ番号Ａ１，パスワードＡ２に対応するバージョンモデル情報Ａ３を取得する機能を実現させるプログラムである。ＣＰＵ３１は、かかるモデル情報取得プログラム３３Ｈを実行することにより、バージョンモデル取得手段として機能する。
【００５４】
画像・音声取得プログラム３３Ｉは、例えば、ＣＰＵ３１に、ユーザ認証プログラム３３Ｇを実行することにより抽出されたＩＤ番号Ａ１，パスワードＡ２に基づいて、画像・音声データベース３３Ｂを参照して、当該ＩＤ番号Ａ１，パスワードＡ２に対応する画像情報Ａ４，音声情報Ａ５の中からユーザが所望する画像情報Ａ４，音声情報Ａ５を取得する機能を実現させるプログラムである。ＣＰＵ３１は、かかる画像・音声取得プログラム３３Ｉを実行することにより、宅内情報取得手段として機能する。
【００５５】
画面情報送信プログラム３３Ｊは、例えば、ＣＰＵ３１に、モデル情報取得プログラム３３Ｈを実行することにより取得したバージョンモデル情報Ａ３に基づいて、ページデータベース３３Ｃを参照して、当該バージョンモデル情報Ａ３に対応するＷｅｂページ画面情報を抽出し、当該Ｗｅｂページ画面情報と、画像・音声取得プログラム３３Ｉを実行することにより取得した画像情報Ａ４，音声情報Ａ５とを合成したＷｅｂページ画面情報を作成し、作成したＷｅｂページ画面情報を通信部３０を制御してユーザ端末２に送信する機能を実現させるプログラムである。ＣＰＵ３１は、かかる画面情報送信プログラム３３Ｊを実行することにより、制御手段として機能する。
（遠隔監視システムの動作）
次に、上述のような構成の遠隔監視システム１００の動作について、図８，図９に示すフローチャートを参照しながら説明する。
（サーバとカメラ端末の間で行われる処理動作）
まず、サーバ３とカメラ端末１の間で行われる処理動作について説明する。
【００５６】
図８に示すように、まず、ユーザにより、カメラ端末１の電源が投入されると（ステップＳ１）、ＣＰＵ１２は、モデル情報通知プログラム１４Ｃを実行することにより、カメラデータベース１４Ａに記憶されている当該カメラ端末１のＩＤ番号Ａ１，パスワードＡ２，バージョンモデル情報Ａ３，画像情報Ａ４，音声情報Ａ５等を通信部１０を制御してサーバ３へ送信させる（ステップＳ２）。
【００５７】
次に、サーバ３において、ＣＰＵ３１が、ＩＤ番号Ａ１，パスワードＡ２，バージョンモデル情報Ａ３，画像情報Ａ４，音声情報Ａ５等を受信すると（ステップＳ３）、ＣＰＵ３１は、判断プログラム３３Ｅを実行することにより、送信されたバージョンモデル情報Ａ３とモデルデータベース３３Ａに記憶されているバージョンモデル情報Ａ３とが異なるか否かを判断する（ステップＳ４）。なお、モデルデータベース３３Ａには、最初はバージョンモデル情報Ａ３として、デフォルトが記憶されているため、カメラ端末１のバージョンモデルがデフォルトのものと異なる場合には、ＣＰＵ３１は、送信されたバージョンモデル情報Ａ３とモデルデータベース３３Ａに記憶されているバージョンモデル情報Ａ３と異なると判断される。
【００５８】
ステップＳ４において、ＣＰＵ３１が、送信されたバージョンモデル情報Ａ３とモデルデータベース３３Ａに記憶されているバージョンモデル情報Ａ３とが一致すると判断した場合には（ステップＳ４；Ｎｏ）、ステップＳ６に進む。
【００５９】
ステップＳ４において、ＣＰＵ３１が、送信されたバージョンモデル情報Ａ３とモデルデータベース３３Ａに記憶されているバージョンモデル情報Ａ３とが異なると判断した場合には（ステップＳ４；Ｙｅｓ）、ＣＰＵ３１は、更新プログラム３３Ｆを実行することにより、モデルデータベース３３Ａのバージョンモデル情報Ａ３を送信されたバージョンモデル情報Ａ３に書き換えることにより更新する（ステップＳ５）。
【００６０】
次に、ＣＰＵ３１は、送信された画像情報Ａ４，音声情報Ａ５をＩＤ番号Ａ１，パスワードＡ２と対応付けて、画像・音声データベース３３Ｂに記憶させる（ステップＳ６）。
（サーバとユーザ端末の間で行われる処理動作）
次に、サーバ３とユーザ端末２の間で行われる処理動作について説明する。
【００６１】
図９に示すように、まず、ユーザ端末２において、ユーザが、サーバ３がネットワークＮ上に開設しているＷｅｂページのＵＲＬ（Uniform  Resource  Locator）を操作部２２から入力することにより、Ｗｅｂページ画面情報要求信号が入力されると、ＣＰＵ２３は、通信制御プログラム２５Ａを実行することにより、通信部２０を制御して、当該Ｗｅｂページ画面情報要求信号をサーバ３に送信させる（ステップＳ１０１）。
【００６２】
次に、サーバ３において、ＣＰＵ３１が、Ｗｅｂページ画面情報要求信号を受信すると（ステップＳ１０２）、ＣＰＵ３１は、ユーザ認証プログラム３３Ｇを実行することにより、ユーザ認証画面情報をユーザ端末２に送信する（ステップＳ１０３）。
【００６３】
次に、ユーザ端末２において、ＣＰＵ２３が、ユーザ認証画面情報を受信すると（ステップＳ１０４）、ＣＰＵ２３は、表示制御プログラム２５Ｂを実行することにより、表示部２１にユーザ認証画面を表示させる。次いで、ＣＰＵ２３は、通信制御プログラム２５Ａを実行することにより、通信部２０を制御して、表示部２１に当該ユーザ認証画面が表示されている際にユーザが操作部２２から入力したログインＩＤ番号Ａ６，ログインパスワードＡ７をサーバ３に送信する（ステップＳ１０５）。
【００６４】
次に、サーバ３において、ＣＰＵ３１が、ログインＩＤ番号Ａ６，ログインパスワードＡ７を受信すると（ステップＳ１０６）、ＣＰＵ３１は、ユーザ認証プログラム３３Ｇの実行に基づいて、受信したログインＩＤ番号Ａ６，ログインパスワードＡ７に一致するログインＩＤ番号Ａ６，ログインパスワードＡ７がユーザ認証データベース３３Ｄに記憶されているか否かを判断する（ステップＳ１０７）。
【００６５】
ステップＳ１０７において、ＣＰＵ３１が、受信したログインＩＤ番号Ａ６，ログインパスワードＡ７に一致するログインＩＤ番号Ａ６，ログインパスワードＡ７がユーザ認証データベース３３Ｄに記憶されていないと判断した場合には（ステップＳ１０７；Ｎｏ）、ステップＳ１０３に戻る。
【００６６】
ステップＳ１０７において、ＣＰＵ３１が、受信したログインＩＤ番号Ａ６，ログインパスワードＡ７に一致するログインＩＤ番号Ａ６，ログインパスワードＡ７がユーザ認証データベース３３Ｄに記憶されていると判断した場合には（ステップＳ１０７；Ｙｅｓ）、ＣＰＵ３１は、当該ログインＩＤ番号Ａ６，ログインパスワードＡ７に対応するＩＤ番号Ａ１，パスワードＡ２を抽出し、次いで、モデル情報取得プログラム３３Ｈを実行することにより、モデルデータベース３３Ａを参照して、当該ＩＤ番号Ａ１，パスワードＡ２に対応するバージョンモデル情報Ａ３を取得する（ステップＳ１０８）。
【００６７】
次に、ＣＰＵ３１は、画面情報送信プログラム３３Ｊを実行することにより、通信部３０を制御して、画像情報選択画面情報をユーザ端末２に送信する（ステップＳ１０９）。
【００６８】
次に、ユーザ端末２において、ＣＰＵ２３が、画像情報選択画面情報を受信すると（ステップＳ１１０）、ＣＰＵ２３は、表示制御プログラム２５Ｂを実行することにより、表示部２１に画像情報選択画面を表示させる。次いで、ＣＰＵ２３は、通信制御プログラム２５Ａを実行することにより、通信部２０を制御して、表示部２１に当該画像情報選択画面が表示されている際にユーザが操作部２２から入力した画像情報選択情報をサーバ３に送信する（ステップＳ１１１）。
【００６９】
次に、サーバ３において、ＣＰＵ３１が、画像情報選択情報を受信すると（ステップＳ１１２）、ＣＰＵ３１は、画像・音声取得プログラム３３Ｉを実行することにより、画像・音声データベース３３Ｂを参照して、ステップＳ１０８で抽出されたＩＤ番号Ａ１，パスワードＡ２に対応する画像情報Ａ４，音声情報Ａ５の中から、受信した画像情報選択情報に相当する画像情報Ａ４，音声情報Ａ５を取得する（ステップＳ１１３）。
【００７０】
次に、ＣＰＵ３１は、画面情報送信プログラム３３Ｊの実行に基づいて、ページデータベース３３Ｃを参照して、ステップＳ１０８で取得したバージョンモデル情報Ａ３に対応するＷｅｂページ画面情報を抽出し、抽出したＷｅｂページ画面情報と、ステップＳ１１３で取得した画像情報Ａ４，音声情報Ａ５とを合成したＷｅｂページ画面情報を作成し、
通信部３０を制御して、作成したＷｅｂページ画面情報をユーザ端末２に送信する（ステップＳ１１４）。
【００７１】
次に、ユーザ端末２において、ＣＰＵ２３が、ステップＳ１１０で作成されたＷｅｂページ画面情報を受信すると（ステップＳ１１５）、ＣＰＵ２３は、表示制御プログラム２５Ｂを実行することにより、表示部２１を制御して、当該Ｗｅｂページ画面情報に基づくＷｅｂページ画面を表示させる（ステップＳ１１６）。
【００７２】
以上に説明した、本発明に係る遠隔監視システム１００によれば、サーバ３において、画像・音声データベース３３Ｂに、カメラ端末１のＩＤ番号Ａ１，パスワードＡ２と画像情報Ａ４，音声情報Ａ５とが対応付けられて記憶され、モデルデータベース３３Ａに、ＩＤ番号Ａ１，パスワードＡ２とカメラ端末１のバージョンモデル情報Ａ３とが対応付けられて記憶され、ＣＰＵ３１が画像・音声取得プログラム３３Ｉを実行することにより、ユーザ端末２から送信されるログインＩＤ番号Ａ６，ログインパスワードＡ７に対応するＩＤ番号Ａ１，パスワードＡ２に基づいて、当該ＩＤ番号Ａ１，パスワードＡ２に対応する画像情報Ａ４，音声情報Ａ５が画像・音声データベース３３Ｂから取得され、ＣＰＵ３１がモデル情報取得プログラム３３Ｈを実行することにより、ユーザ端末２から送信されるログインＩＤ番号Ａ６，ログインパスワードＡ７に対応するＩＤ番号Ａ１，パスワードＡ２に基づいて、当該ＩＤ番号Ａ１，パスワードＡ２に対応するバージョンモデル情報Ａ３がモデルデータベース３３Ａから取得され、ＣＰＵ３１が画面情報送信プログラム３３Ｊを実行することにより、取得されたバージョンモデル情報Ａ３に対応し、取得された画像情報Ａ４，音声情報Ａ５を掲載するためのＷｅｂページ画面情報をユーザ端末２に送信する制御が行われ、ユーザ端末２において、操作部２２からログインＩＤ番号Ａ６，ログインパスワードＡ７が入力され、通信部２０により、入力されたログインＩＤ番号Ａ６，ログインパスワードＡ７がサーバ３に送信され、表示部２１により、サーバ３から送信されたＷｅｂページ画面情報が表示されるので、ユーザは、バージョンモデルに対応したＷｅｂページのＵＲＬを認識する必要がなく、また、例えば、カメラ端末１のバージョンモデルが更新され、且つ、ユーザがカメラ端末１のバージョンモデルが更新されたことに気づかない場合であっても、カメラ端末１のバージョンモデル情報Ａ３に応じたＷｅｂページ画面情報が自動的にユーザ端末２に送信されることとなって、カメラ端末１のバージョンモデルに関わらず、ユーザは容易に画像情報Ａ４，音声情報Ａ５を確認することができる。
【００７３】
また、カメラ端末１において、ＣＰＵ１２が、モデル情報通知プログラム１４Ｃを実行することにより、電源投入時に、カメラ端末１のＩＤ番号Ａ１，パスワードＡ２とカメラ端末１のバージョンモデル情報Ａ３とが対応付けられてサーバ３に送信され、サーバ３において、ＣＰＵ３１が判断プログラム３３Ｅを実行することにより、カメラ端末１から送信されたバージョンモデル情報Ａ３と、モデルデータベース３３Ａに記憶され、カメラ端末１から送信されたＩＤ番号Ａ１，パスワードＡ２に対応付けられたバージョンモデル情報Ａ３とが異なるか否かが判断され、カメラ端末１から送信されたバージョンモデル情報Ａ３と、モデルデータベース３３Ａに記憶され、カメラ端末１から送信されたＩＤ番号Ａ１，パスワードＡ２に対応付けられたバージョンモデル情報Ａ３とが異なると判断された場合に、ＣＰＵ３１が更新プログラム３３Ｆを実行することにより、モデルデータベース３３Ａに記憶されたバージョンモデル情報Ａ３が更新されるので、カメラ端末１のバージョンモデルが更新され、ユーザがＷｅｂページにおいて画像情報Ａ４，音声情報Ａ５を確認する場合、更新された後のバージョンモデル情報Ａ３に対応するＷｅｂページ画面情報がユーザ端末２に送信されることとなって、カメラ端末１のバージョンモデルの更新の有無に関わらず、ユーザは容易に画像情報Ａ４，音声情報Ａ５を確認することができる。
【００７４】
また、サーバ３のモデルデータベース３３Ａが自動的に更新されるので、当該モデルデータベース３３Ａの管理を容易にすることができる。
【００７５】
また、カメラ１１により、宅内が撮像されて画像情報Ａ４が取得され、取得された画像情報Ａ４が宅内情報としてサーバ３に送信されるので、ユーザは、画像情報Ａ４を見ることにより宅内の様子を容易に確認することができるとともに、特に、画像情報は、動画、静止画等のように比較的バージョンモデルが多様なので、より好適な効果が得られる。
【００７６】
なお、本実施形態では、電源投入時にカメラ端末１のバージョンモデル情報Ａ３がサーバ３に送信されて、サーバ３のモデルデータベース３３Ａに記憶されているバージョンモデル情報Ａ３とカメラ端末１から送信されたバージョンモデル情報Ａ３とが異なる場合に、モデルデータベース３３Ａのバージョンモデル情報Ａ３が更新されることとしたが、更新のタイミングはこれに限られるものではなく、所定時間毎，サーバ３がモデルデータベース３３Ａ更新を要求する時，ユーザ端末２からサーバ３を介してモデルデータベース３３Ａ更新を要求する時等であってもよい。
【００７７】
また、カメラ端末１のＩＤ番号Ａ１，パスワードＡ２は、予め、サーバ３のモデルデータベース３３Ａに登録されており、カメラ端末１が工場において生産される際に、モデルデータベース３３Ａに登録されているＩＤ番号Ａ１，パスワードＡ２が当該カメラ端末１に割り振られることとしたが、これに限られるものではなく、カメラ端末１が初めてサーバ３にネットワークＮを介して接続する際に登録されるようにしてもよい。
【００７８】
宅内情報としてカメラ端末１のカメラ１１により撮像した画像情報Ａ４及び音声記録手段により録音された音声情報Ａ５を例示したが、宅内情報はこれに限られるものではなく、例えば、ユーザ宅Ｕ内の冷蔵庫のドアの開閉，ポットの湯量，宅内温度等を感知する各種センサの感知情報などでもよい。
【図面の簡単な説明】
【００７９】
【図１】本発明に係る遠隔監視システムの構成を示す図である。
【図２】本発明に係るカメラ端末の構成を示すブロック図である。
【図３】本発明に係るユーザ端末の構成を示すブロック図である。
【図４】本発明に係るサーバの構成を示すブロック図である。
【図５】本発明に係るモデルデータベースのデータ構造を説明する図である。
【図６】本発明に係る画像・音声データベースのデータ構造を説明する図である。
【図７】本発明に係るユーザ認証データベースのデータ構造を説明する図である。
【図８】本発明に係るサーバとカメラ端末の間で行われる処理動作を説明するフローチャートである。
【図９】本発明に係るサーバとユーザ端末の間で行われる処理動作を説明するフローチャートである。
【符号の説明】
【００８０】
１  カメラ端末（宅内装置）
１１  カメラ（撮像手段）
１２  ＣＰＵ（バージョンモデル情報通知手段）
１４Ｃ  モデル情報通知プログラム（バージョンモデル情報通知手段）
２  ユーザ端末
２０  通信部（送信手段）
２１  表示部（表示手段）
２２  操作部（入力手段）
３  サーバ
３１  ＣＰＵ（判断手段，更新手段，バージョンモデル取得手段，宅内情報取得手段，
制御手段）
３３  記憶部（バージョンモデル情報記憶手段，宅内情報記憶手段）
３３Ａ  モデルデータベース（バージョンモデル情報記憶手段）
３３Ｂ  画像・音声データベース（宅内情報記憶手段）
３３Ｅ  判断プログラム（判断手段）
３３Ｆ  更新プログラム（更新手段）
３３Ｈ  モデル情報取得プログラム（バージョンモデル取得手段）
３３Ｉ  画像・音声取得プログラム（宅内情報取得手段）
３３Ｊ  画像情報送信プログラム（制御手段）
１００  遠隔監視システム
Ａ１  ＩＤ番号（識別情報）
Ａ２  パスワード（識別情報）
Ａ３  バージョンモデル情報
Ａ４  画像情報
Ａ５  音声情報
【図１】
0004604910.tif 000002
【図２】
0004604910.tif 000003
【図３】
0004604910.tif 000004
【図４】
0004604910.tif 000005
【図５】
0004604910.tif 000006
【図６】
0004604910.tif 000007
【図７】
0004604910.tif 000008
【図８】
0004604910.tif 000009
【図９】
0004604910.tif 000010